(57)【特許請求の範囲】
【請求項１】
外気開放部とインク吐出部とを備えインクを吸収するインク吸収体が収納された吸収体収納室と、インクを自由状態で実質密閉収容するインク室と、前記インク室と前記吸収体収納室とを下方側で連通させる連通部を備えると共に前記インク室と前記吸収体収納室とを仕切る仕切り壁と、を備えたインクカートリッジであって、
前記吸収体収納室に対して、前記連通部よりも上部にある前記インク吸収体に対向して位置し前記インク室内に外気を導入するための外気導入路の外気取入れ部と、前記外気取入れ部に対して外気を案内するための外気案内路とを具備し、前記外気取入れ部は、前記仕切り壁から前記吸収体が挿入時に形成されるシワが発生する領域を離れた位置であり、前記外気導入路が前記吸収体収納室の側壁の外側に設けられたことを特徴とするインクカートリッジ。
【請求項２】
外気開放部とインク吐出部とを備えインクを吸収するインク吸収体が収納された吸収体収納室と、インクを自由状態で実質密閉収容するインク室と、前記インク室と前記吸収体収納室とを下方側で連通させる連通部を備えると共に前記インク室と前記吸収体収納室とを仕切る仕切り壁と、を備えたインクカートリッジであって、
前記吸収体収納室に対して、前記連通部よりも上部にある前記インク吸収体に対向して位置し前記インク室内に外気を導入するための外気導入路の外気取入れ部と、前記インク吸収体を圧縮すると共に前記連通部と前記インク吐出部とを結ぶ直線上に位置する迂回障害部とを具備し、前記外気取入れ部は、前記仕切り壁から前記吸収体が挿入時に形成されるシワが発生する領域を離れた位置であり、前記外気導入路が前記吸収体収納室の側壁の外側に設けられたことを特徴とするインクカートリッジ。
【請求項３】
外気開放部とインク吐出部とを備えインクを吸収するインク吸収体が収納された吸収体収納室と、インクを自由状態で実質密閉収容するインク室と、前記インク室と前記吸収体収納室とを下方側で連通させる連通部を備えると共に前記インク室と前記吸収体収納室とを仕切る仕切り壁と、を備えたインクカートリッジであって、
前記吸収体収納室に対して、前記連通部よりも上部にある前記インク吸収体に対向して位置し前記インク室内に外気を導入するための外気導入路の外気取入れ部と、前記外気取入れ部に対して外気を案内するための外気案内路と、前記インク吸収体を圧縮すると共に前記連通部と前記インク吐出部とを結ぶ直線上に位置してインク供給を迂回せしめる障害部とを具備し、前記外気取入れ部は、前記仕切り壁から前記吸収体が挿入時に形成されるシワが発生する領域を離れた位置であり、前記外気導入路が前記吸収体収納室の側壁の外側に設けられたことを特徴とするインクカートリッジ。
【請求項４】
前記外気導入路が複数備えられていることを特徴とする請求項１ないし請求項３のいずれかに記載のインクカートリッジ。
【請求項５】
前記外気取入れ部が複数備えられていることを特徴とする請求項１ないし請求項３のいずれかに記載のインクカートリッジ。
【請求項６】
前記障害部が前記吸収体収納室の底部に備えられていることを特徴とする請求項３に記載のインクカートリッジ。
【請求項７】
前記インク吸収体が複数部材で構成されていることを特徴とする請求項１ないし請求項３のいずれかに記載のインクカートリッジ。
【発明の詳細な説明】
【技術分野】
【０００１】
本発明は、インクジェットプリンタに搭載されるインクカートリッジに関する。
【背景技術】
【０００２】
印刷装置の一例として挙げられるインクジェット式プリンタは、通常、装置内のカートリッジ装着部に装着されたインクカートリッジに貯留されているインクを記録ヘッドへ送り込み、この記録ヘッドが用紙等の被記録媒体にインク滴を噴射・塗布することで、画像や文字の記録を行う。
【０００３】
インクジェット式プリンタにおける記録ヘッドは、熱や振動を利用してインク滴の噴射を制御するものである。このような記録装置に装着するインクカートリッジは、初期常態においては良好な負圧バランスを有していても、印刷中の急激な温度変化によりインクカートリッジ内の体積膨張が起こり、その膨張圧力が起因してインクカートリッジ内のインクがインク吐出口から漏れ出し記録ヘッドに過剰のインクを流出して良好な印刷が阻害されるという課題があり、解決されないものであった。
【０００４】
特に、リブで区画したインク室とインク吸収体室との２室構造を有するインクカートリッジに対する課題、即ち、急激な温度変化が起因するインク漏れに対する根本的対策としてはインク吸収体へのインク充填後の２室が相反する挙動の展開があるために、抜本的解決策が提供されることは無かった。
【０００５】
臨時の対策としては、上記の状況に関して、インクカートリッジ内にリブで区画した複数のインク室や独立区画したインク室を構成し、インク吐出口にもっとも隣接したインク室にインク吸収体を充填し、この吸収体の毛管力によりインク吐出口からのインク漏れを解消する試みのインクカートリッジが提案されている。（例えば特許文献１〜３）
【０００６】
特許文献１は、図１０、１及び１２に示されているように、インクカートリッジの構成が、インクカートリッジの上部に外気開放部と底部にインク吐出口を備え、さらにインクを収容するインク室を備え、前記インク室が自由状態でインクを収容する実質密閉インク室とインクを吸収するインク吸収体が収納された吸収体収納室を備え、前記インク室と前記吸収体収納室とがインク室の底壁付近で連通する連通部を有する仕切り壁で仕切られ、そして仕切り壁にはスリット状に溝が縦方向に複数形成された構成のインクカートリッジ（即ち、リブで区画したインク室とインク吸収体室との２室構造）が開示されている。そして、インク室内の体積が膨張した場合にスリット状の溝を介してインク吸収体側に圧力を逃がしインク吐出口からのインク漏れを防ぐ試みの構成が開示されている。
【０００７】
また前記特許文献２は、図１及び図２に示されているように、インクタンクの内部が特許文献１と同様に壁により仕切られており、この壁の中央部であってインク吸収体が収納されたインク吸収体室側にバネで付勢されたバルブ構造が設けられこのバルブによりインク消費速度や気液交換速度を調節することによりインク漏れを防ぐ試みの構成が開示されている。
【０００８】
また特許文献３は、図１及び図４に示されるように、大気が導入され、液体吐出口を備えるとともに負圧発生部材を収納する負圧発生部材室と、液体を収納する液体収納室と、前記負圧発生部材室と前記液体収納室を仕切る仕切り壁と、前記仕切り壁に設けられ前記液体収納室から前記負圧発生部材室に液体を供給する液体流路と、毛管力を有し前記液体流路とは別であって前記仕切り壁を迂回し前記負圧発生部材室から前記液体収納室に空気を供給する空気導入室とを有する液体収納容器が提案されている。そして、この空気導入室によりインク消費速度や気液交換速度を調節することによりインク漏れを防ぐ試みの構成が開示されている。
【先行技術文献】
【特許文献】
【０００９】
【特許文献１】特開２００５−１６１６３５号公報
【特許文献２】特開２００７−１５２６７７号公報
【特許文献３】ＷＯ２００９／０７２６６３Ａ１号公報
【発明の概要】
【発明が解決しようとする課題】
【００１０】
しかしながら、上記特許文献１〜３に提案されているインクカートリッジのインク吐出口からのインク漏れに関しては、温度変化の程度が緩やかでその温度変化によりインクカートリッジ内の体積膨張が徐々に変化する場合に適応されるものであり、急激な温度変化やその変化幅が大きい場合においてはインク吐出口や大気開口からのインク漏れやインク供給過多という問題は依然として存在している。さらに、インクカートリッジを印刷装置に装着して印刷を実施している状況下では、インクカートリッジが左右に激しく移動するために受ける振動によって、また、印刷環境下の温度変化によって受けるインクカートリッジの負圧バランスや気液交換速度の変動のために、例えば、カートリッジ内の負圧変動が−１０乃至−３０ｍｍＨｇ、若しくは−２０乃至−３０ｍｍＨｇ程度の負圧バランスであるために、インク吐出口からのインク漏れやインク供給過多に繋がるという傾向がある。この問題は特に、以下の内容が伴うと予想できない不都合が発生していた。つまり、壁に対する密着度を上げるために吸収体の圧縮状態での挿入が前提となるため、その圧縮挿入されている吸収体がシワを持つことになり、予期しない気体導入路が形成されてしまったり、インクの供給阻止を部分的に発生せしめるため、製造して使用してみないとどのような特性かがわからない場合が多々発生し、いわゆる歩留まりが悪い状態であった。
【００１１】
吸収体収納室と実質密閉インク室との負圧が適切に維持・保持された負圧バランスの構成のとれたインクカートリッジの開発が望まれるが、上記現象を解析すると、インクカートリッジ内の負圧は、吸収体収納室へ充填されるインク吸収体の毛管力例えば密度や充填精度によって大きく影響することが判明した。特に、吸収体収納室へインク吸収体を充填するとき、必ずといってよいほど、充填されたインク吸収体には目では判別し難い種々の形状の皺が発生する傾向がある。さらに、上記の皺は、仕切り壁の近傍においてはその仕切り壁に沿って縦方向に発生する傾向がある。  
【００１２】
そして、記録装置のヘッドからインクを吸引すると、発生した充填時の皺がインクや空気の流路を形成してしまう。すると、吸収体収納室内の負圧力が低下しインク室との負圧バランスが崩れてインク漏れやインク供給過多を招くことになる。そこで、インク漏れを抑制するために容器内の負圧力を大きく設計すると、逆にインクの供給不足が生じインクかすれが発生する。さらに、発生した皺が目で判別可能場合は、充填のやり直しが行われることになり歩留まりや生産効率に影響することになる。
【００１３】
また、急激な温度変化によってインクカートリッジがヒートサイクルを起こしても、負圧バランスが良好であれば、インク室内のインク全てが吸収体収納室内に移動してもそのインクを吸収保持するだけの容積を有していれば、インク漏れを起こすことはない。そのため、インクカートリッジのインク室の容積を少なくし、吸収体収納室の容積を大きくすることが考えられる。ヒートサイクルとは、昼夜の温度差によりインク室内（特にインク室内の空気）が熱膨張と収縮が繰り返される現象である。
【００１４】
インク室の容積を少なくすることは、インク室を仕切る仕切り壁がインク吐出口から離れた位置に配置され、インク室からインク吐出口までの間の距離が長くなるので（即ち、インク吸収材の距離が長くなるので）その間の負圧を大きくすることに繋がり、インク吐出口からのインク漏れを抑制する効果が得られるが、しかし、負圧が大きくなりすぎるとインク供給不足を招くことにも繋がる。要するに、インク室とインク吸収体が充填された吸収体収納室との負圧バランスを良好に維持し気液交換がスムーズに行われるように設計することが肝要である。
【００１５】
ところで、インク室の容積を少なくすることはユーザにとってはインク量が少なくなった分、印刷枚数が減少することになり損失を被ることになる。製造メーカにとっては、実質インク量を少なくして販売することになるので利益に繋がるが、このような状況はユーザには良く知られていないことである。
【００１６】
本発明者は上記問題点に鑑み、インクカートリッジが外気開放部とインク吐出口を備え自由状態でインクを収容するインク室とインクを吸収するインク吸収体が収納された吸収体収納室とが仕切り壁で仕切られている実質密閉インク室２室の構造を備えた従来のインクカートリッジについて鋭意研究した結果、インク吸収体が収納された吸収体収納室内の負圧の形成と温度変化によるインク室内の体積膨張（ヒートサイクル）が起因して単に吐出口からインクが漏れるという問題だけでなく、詳細には後述するが、新たな挙動現象を見出したことによって本発明を完成されたものである。  
【００１７】
即ち、インクカートリッジを記録装置に装着し、印刷を行った後インクカートリッジを記録装置に装着した状態で次の印刷の機会まで放置した場合に、室内温度（記録装置内温度）が変化して室内温度が上昇すると、自由状態でインクを収容するインク室（実質密閉インク室）内の特に空気の体積膨張が起こる。
【００１８】
このとき、インク吸収体が収納された吸収体収納室内の負圧力が少ない（負圧バランスが良好に保持されていない）と、この体積膨張した圧力をインク吸収体を介して大気口側に逃がすことができなくなり、インク吐出口側に体積膨張した圧力が移行してインク漏れをもたらす。そして記録装置のヘッド部に過剰インクが滞留することになる。そうすると、そのインクが隣のインクカートリッジの吐出口へ流出移動し、その隣のインクカートリッジのインク室へ逆吸引してインクの混色を起こすという現象が見られた。また、室内温度上昇後に室内温度が下降すると、自由状態でインクを収容するインク室（実質密閉インク室）内の空気の体積収縮が起こり上記インク混色の発生がさらに著しくなるという現象が見られた。この現象は、カラーインクのインクカートリッジが複数装着される場合の現象である。
【００１９】
上記したインク混色現象は、吸収体収納室内の負圧力が少ないと起こりやすいという傾向に付随して、インク供給過多による場合や、吸収体収納室内が適宜の負圧力があっても、インクカートリッジのヒートサイクルが頻繁に起ったり、その大きさが著しい場合や、例えば記録装置に装着使用しているときにインク吸収体室内のインク吸収体に皺が発生したり、インク吸収体と容器壁との間に隙間が発生したりして、吸収体収納室と実質密閉インク室との気液交換がスムーズに行われなくなると、負圧バランスが崩れ種々の問題を発生する。
【００２０】
上記の混色発生は、たとえ記録装置のヘッドにインクの滞留があっても負圧バランスが安定していれば、即ち気液交換が正常に行われる負圧バランスが保持されていれば、著しく低下する傾向が見られる。また、本発明者は、上記混色発生はインク室底部と仕切り壁とに発生するインクのメニスカスが作用して、インク室の負圧が高くなりすぎたために気液交換がスムーズに行われないことも要因であることが判った。
【００２１】
さらに、上記インク混色発生に起因する負圧バランスについては、インク供給によるインク室内の負圧変動を速やかに復帰させて正常な負圧バランスとすることが重要な課題であるという知見に至った。また、インク混色発生に起因するインク室内の体積膨張についても、早く回復させることができる負圧バランスの取れた構成のインクカートリッジとすることが肝要であると本発明者は認識した。
【００２２】
また、負圧発生部材の挿入は圧接が必須で壁面に対しての密着性を確保し、所定の気体導入路に気体が導入されるまで気体を案内しないで密着性を保つことが重要であるとされてきた。しかし本発明者は、逆転の発想で、気体を、気体導入路まで積極的に誘導することが上記課題を越えるための最大の解決策であるという知見を得た。
【００２３】
本発明は、上述したように、インクカートリッジが外気開放部とインク吐出口を備え自由状態でインクを収容するインク室とインクを吸収するインク吸収体が収納された吸収体収納室とが仕切り壁で仕切られている実質密閉インク室２室の構造を備えたインクカートリッジが抱える問題、即ち、昼夜の温度差によりインク室内（特にインク室内の空気）が熱膨張と収縮が繰り返される現象のヒートサイクルが起こってもインク漏れが起こらない、負圧バランスが良好で気液交換の安定したインクカートリッジの構成とすることを第１の課題とし、インク漏れがない良好な印刷ができるインクカートリッジを提供することを目的とする。
【００２４】
また、本発明はさらに、上記第１の課題に付随して、ヒートサイクルが起こっても、記録装置に複数装着されるインクカートリッジの混色問題が解決された負圧バランスの安定したインクカートリッジを提供することを第２の課題とし、混色を起こさない良好な印刷ができるインクカートリッジを提供することを目的とする。
【課題を解決するための手段】
【００２５】
この目的は、特許請求の範囲における独立項に記載の特徴の組み合わせにより達成される。また従属項は本発明の更なる有利な具体例を規定する。特に、本発明者は、ヒートサイクルがもたらすインク漏れやインク供給過多のインクが記録装置の記録ヘッドを介して隣のインクカートリッジの吐出口へ流出移動し、そのインクが逆吸引されてインクの混色を起こすというインク吐出口と記録ヘッドとの新たな挙動現象を見出したこと、また、逆転の発想で、気体を、気体導入路まで積極的に誘導することでヒートサイクルがもたらすインク漏れという問題を解決するための最大の解決策であるという知見を得たことにより完成されたものである。
【００２６】
即ち、本発明の第１の発明は、外気開放部とインク吐出部とを備えインクを吸収するインク吸収体が収納された吸収体収納室と、インクを自由状態で実質密閉収容するインク室と、前記インク室と前記吸収体収納室とを下方側で連通させる連通部を備えると共に前記インク室と前記吸収体収納室とを仕切る仕切り壁と、を備えたインクカートリッジであって、
前記吸収体収納室に対して、前記連通部よりも上部にある前記インク吸収体に対向して位置し前記インク室内に外気を導入するための外気導入路の外気取入れ部と、前記外気取入れ部に対して外気を案内するための外気案内路とを具備し、前記外気取入れ部は、前記仕切り壁から前記吸収体が挿入時に形成されるシワが発生する領域を離れた位置であり、前記外気導入路が前記吸収体収納室の側壁の外側に設けられたことを特徴とするインクカートリッジである。
【００２７】
本発明の第２の発明は、外気開放部とインク吐出部とを備えインクを吸収するインク吸収体が収納された吸収体収納室と、インクを自由状態で実質密閉収容するインク室と、前記インク室と前記吸収体収納室とを下方側で連通させる連通部を備えると共に前記インク室と前記吸収体収納室とを仕切る仕切り壁と、を備えたインクカートリッジであって、
前記吸収体収納室に対して、前記連通部よりも上部にある前記インク吸収体に対向して位置し前記インク室内に外気を導入するための外気導入路の外気取入れ部と、前記インク吸収体を圧縮すると共に前記連通部と前記インク吐出部とを結ぶ直線上に位置する迂回障害部とを具備し、前記外気取入れ部は、前記仕切り壁から前記吸収体が挿入時に形成されるシワが発生する領域を離れた位置であり、前記外気導入路が前記吸収体収納室の側壁の外側に設けられたことを特徴とするインクカートリッジである。  
【００２８】
本発明の第３の発明は、外気開放部とインク吐出部とを備えインクを吸収するインク吸収体が収納された吸収体収納室と、インクを自由状態で実質密閉収容するインク室と、前記インク室と前記吸収体収納室とを下方側で連通させる連通部を備えると共に前記インク室と前記吸収体収納室とを仕切る仕切り壁と、を備えたインクカートリッジであって、
前記吸収体収納室に対して、前記連通部よりも上部にある前記インク吸収体に対向して位置し前記インク室内に外気を導入するための外気導入路の外気取入れ部と、前記外気取入れ部に対して外気を案内するための外気案内路と、前記インク吸収体を圧縮すると共に前記連通部と前記インク吐出部とを結ぶ直線上に位置してインク供給を迂回せしめる障害部とを具備し、前記外気取入れ部は、前記仕切り壁から前記吸収体が挿入時に形成されるシワが発生する領域を離れた位置であり、前記外気導入路が前記吸収体収納室の側壁の外側に設けられたことを特徴とするインクカートリッジである。  
【００２９】
本発明の第４の発明は、第１の発明乃至第３の発明に記載の前記外気導入路が複数備えられていることを特徴とするインクカートリッジである。
【００３０】
本発明の第５の発明は、第１の発明乃至第３の発明のいずれかに記載の前記外気取入れ部が複数備えられていることを特徴とするインクカートリッジである。
【００３１】
本発明の第６の発明は、第１の発明又は第３の発明に記載の前記障害部が前記吸収体収納室の底部に備えられていることを特徴とするインクカートリッジである。
【００３２】
本発明の第７の発明は、第１の発明乃至第３の発明のいずれかに記載の前記インク吸収体が複数部材で構成されていることを特徴とするインクカートリッジである。
【発明の効果】
【００３３】
本発明の第１の発明であるインクカートリッジは、特に前記吸収体収納室に対して、前記連通部よりも上部にある前記インク吸収体に対向して位置し前記インク室内に外気を導入するための外気導入路の外気取入れ部と、前記外気取入れ部に対して外気を案内するための外気案内路とを具備し、前記外気取入れ部は、前記仕切り壁から前記吸収体が挿入時に形成されるシワが発生する領域を離れた位置であり、前記外気導入路が前記吸収体収納室の側壁の外側に設けられた構成とし外気取入れ部から外気導入路まで積極的に外気を誘導している。そのため、インクカートリッジの外気開放部から導入される外気が前記外気案内部を介して前記外気取入れ部にスムーズに外気が導入され、外気導入路を経由して前記吸収体収納室と前記インク室との気液交換がスムーズに行うことができるという効果を奏する。
【００３４】
また、インク吸収体の充填時発生するインク吸収体への横方向の皺や仕切り壁の近傍であって縦方向にできる隙間皺が発生し目で判別しがたい状態であっても、本発明は、前記外気案内路を設けたことで前記発生した皺に影響されることがなく、また、外気取入れ部を設けたことで、前記仕切り壁近傍に発生する隙間に影響されることなく、前記外気取入れ部にスムーズに外気を導くことができる構成である。したがって負圧バランスの良好なインクカートリッジを提供できるという効果を奏する。さらに上記に付随して、ヒートサイクルが起こってもインク室のインクが外気導入路を経由して外気取入れ部から外気案内路側に流出されて圧力開放されるのでインク吐出部からのインク漏れを起こさないという効果を奏する。
【００３５】
本発明の第２の発明であるインクカートリッジは、特に、前記吸収体収納室に対して、前記連通部よりも上部にある前記インク吸収体に対向して位置し前記インク室内に外気を導入するための外気導入路の外気取入れ部と、前記インク吸収体を圧縮すると共に前記連通部と前記インク吐出部とを結ぶ直線上に位置する迂回障害部とを具備し、前記外気取入れ部は、前記仕切り壁から前記吸収体が挿入時に形成されるシワが発生する領域を離れた位置であり、前記外気導入路が前記吸収体収納室の側壁の外側に設けられた構成とし、インク室のインクがインク吐出部に向かって直線的に流入しないようにしている。そのため、ヒートサイクルが起こった場合のインク室のインクは、インク吸収体の上部に迂回されて圧力開放されることになる。したがって、ヒートサイクルが起こってもインク吐出部に向かって直線的に流入されることがないので、インク吐出部からのインク漏れを起こすことが無いという効果を奏する。
【００３６】
本発明の第３の発明であるインクカートリッジは、前記吸収体収納室に対して、前記連通部よりも上部にある前記インク吸収体に対向して位置し前記インク室内に外気を導入するための外気導入路の外気取入れ部と、前記外気取入れ部に対して外気を案内するための外気案内路と、前記インク吸収体を圧縮すると共に前記連通部と前記インク吐出部とを結ぶ直線上に位置してインク供給を迂回せしめる障害部とを具備し、前記外気取入れ部は、前記仕切り壁から前記吸収体が挿入時に形成されるシワが発生する領域を離れた位置であり、前記外気導入路が前記吸収体収納室の側壁の外側に設けられた構成としている。そのため、インクカートリッジの外気開放部から導入される外気が前記外気案内部を介して前記外気取入れ部にスムーズに外気が導入され、外気導入路を経由して前記吸収体収納室と前記インク室との気液交換がスムーズに行うことができるという効果を有する。
【００３７】
さらに、前記連通部と前記インク吐出部とを結ぶ直線上に位置してインク供給を迂回せしめる障害部を設けているので、インク室のインクがインク吐出部に向かって直線的に流入しないようにしている。そのため、ヒートサイクルが起こった場合でも、インク室のインクは、インク吸収体の上部に迂回されて圧力開放されることになる。したがって、ヒートサイクルが起こってもインク吐出部に向かって直線的に流入されることがないので、インク吐出部からのインク漏れを起こすことが無いという効果を有する。
【００３８】
また、本発明の第３の発明であるインクカートリッジは、上述したように第１の発明の構成と第２の発明の構成を相乗した構成としているので、上述した第１の発明及び第２の発明の効果に加えて、より相乗的な効果を奏することができる。具体的には、上述したようにインク吸収他の充填時に種々の皺が発生した場合であっても、インクカートリッジの外気開放部２から導入される外気が前記外気案内部を介して前記外気取入れ部にスムーズに外気が導入され前記吸収体収納室と前記インク室との負圧バランスが良好になり、気液交換がスムーズに行うことができること、また、ヒートサイクルが起こった場合でも、インク室のインクは、インク吸収体の上部に迂回されて圧力開放されることになるのでインク吐出部からのインク漏れを起こすことが無いこと、という相乗効果が得られる。
【００３９】
さらに、本発明第１の発明乃至第３の発明のインクカートリッジは、上述の構成としているのでヒートサイクルが起こったとしても、負圧バランスが良好で気液交換をスムーズに行うことができてインク吐出部からのインク漏れを起こすことが無いので、上記の効果に付随して複数のインクカートリッジを装着した場合に起こりうるヘッドでのインク混色を起こすことが無いという優れた効果を奏する。
【００４０】
要するに、本発明は上述したように、外気を外気導入路まで積極的に誘導するという逆転の発想から生まれたものであって、インクカートリッジが外気開放部とインク吐出部を備え自由状態でインクを収容するインク室とインクを吸収するインク吸収体が収納された吸収体収納室とが仕切り壁で仕切られている実質密閉インク室２室の構造を備えたインクカートリッジが抱える問題、即ち、昼夜の温度差によりインク室内（特にインク室内の空気）が熱膨張と収縮が繰り返される現象のヒートサイクルが起こってもインク漏れが起こらない、負圧バランスが良好で気液交換の安定したインクカートリッジの構成とするという第１の課題を解決し、インク漏れがない良好な印刷ができるインクカートリッジを提供するという目的を達成することができるという優れたものである。
【００４１】
また、本発明はさらに、上記第１の課題に付随して、ヒートサイクルが起こっても、記録装置に複数装着されるインクカートリッジの混色問題が解決された負圧バランスの安定したインクカートリッジを提供するという第２の課題を解決し、混色を起こさない良好な印刷ができるインクカートリッジを提供するという目的を達成することができるという優れたものである。
【図面の簡単な説明】
【００４２】
【図１Ａ】本発明の第1の実施形態例を示す模式図である。
【図１Ｂ】本発明の第1の他の実施形態例を示す模式図である。
【図２】本発明の第２の実施形態例を示す模式図である。
【図３】本発明の第３の実施形態例を示す模式図である。
【図４】本発明の知見であるインク混色を説明する模式図である。
【図５】本発明の知見であるインク混色を説明する模式図である。
【図６】本発明の知見であるインク混色を説明する模式図である。
【図７】本発明の知見であるインク混色を説明する模式図である。
【図８】本発明の知見であるインク混色を説明する模式図である。
【図９】本発明の知見であるインク混色を説明する模式図である。
【図１０】本発明の構成例を示す模式図である。
【図１１】本発明の構成例を示す模式図である。
【発明を実施するための形態】
【００４３】
（本発明の第１の実施の形態例）
以下に、本発明の第１の実施の形態例を図１に基づいて説明する。図１Ａは、本発明の第１の実施の形態例を示す模式図である。
【００４４】
本発明の第１の実施の形態例は本発明の第１の構成を例示するものであって、外気開放部２とインク吐出部３とを備えインクを吸収するインク吸収体１３が収納された吸収体収納室６と、インクを自由状態で実質密閉収容するインク室５と、前記インク室と前記吸収体収納室とを下方側で連通させる連通部７を備えると共に前記インク室５と前記吸収体収納室６とを仕切る仕切り壁８と、を備えたインクカートリッジであって、前記吸収体収納室６に対して、前記連通部７よりも上部にある前記インク吸収体１３に対向して位置し前記インク室内に外気を導入するための外気導入路１１の外気取入れ部１０と、前記外気取入れ部１０に対して外気を案内するための外気案内路９とを具備し、前記外気取入れ部１０は、前記仕切り壁８から前記吸収体１３が挿入時に形成されるシワが発生する領域を離れた位置であり、前記外気導入路１１が前記吸収体収納室６の側壁の外側に設けられたことを特徴とするインクカートリッジ１である。
【００４５】
さらに詳しくは、本発明のインクカートリッジ１は、インクカートリッジ１の上部に外気開放部２と底部にインク吐出部３と、自由状態でインクを収容するインク室５とインクを吸収するインク吸収体１３が収納された吸収体収納室６とを有し、前記インク室５と前記吸収体収納室６とが仕切り壁８で仕切られている実質密閉インク室５を含む２室の構造を有している。また前記インク室５と前記吸収体収納室６とを仕切る前記仕切り壁８の底部には、前記インク室５のインクが前記吸収体収納室６に流出するための連通部７を有し、前記連通部７は前記仕切り壁８の底部と前記インク室５の底壁との間に設けられている。
【００４６】
前記吸収体収納室６には、外気開放部２と繋がる空間部４を有し、前記吸収体収納室６の上部から中間域まで形成される外気案内部９と前記中間域より下方に外気取入れ部１０が備えられている。前記外気案内部９は前記外気空間部４と連通して前記吸収体収納室６の側壁に好ましく形成することができる。また、前記外気案内部９は一つ形成することもできるが複数形成することが好ましい。この場合、前記外気案内部９は前記吸収体収納室６の上部から底部に向けて中間域まで垂直状に形成しても傾斜して形成しても良い。また、前記外気案内部９を複数形成する場合は、例えば前記吸収体収納室６の両側壁に均等に形成することが好ましい。この前記外気案内部９の形成は、前記外気開放部２の位置を勘案して前記外気取入れ部１０に誘導するように適宜設計することができる。
【００４７】
前記外気取入れ部１０は、前記仕切り壁８から少なくとも５ｍｍ離れた位置に形成することが好ましい。これは、前記吸収体収納室６にインク吸収体１３を充填するときに、インク吸収体１３と仕切り壁８の間の壁際に沿って目では判別し難い皺が形成されやすく、また、インクカートリッジ１を印刷装置に装着しして印刷を行っている間に、前記形成された皺がインク吸収体１３と仕切り壁８の間において大きくなって壁際隙間を形成することがあるからである。
【００４８】
即ち、前記したように仮に壁際の皺や隙間が発生したとしても、本発明の構成である前記外気取入れ部１０を前記仕切り壁８から少なくとも５ｍｍ離れた位置に形成すれば、発生した皺や隙間の影響を受けることなく、インクカートリッジ１の外気開放部２から導入される外気が前記外気案内部９を介して前記外気取入れ部１０にスムーズに空気が導入され前記吸収体収納室６と前記インク室５との負圧バランスが良好になり、気液交換がスムーズに行うことができるからである、また、本発明は、インク吸収体の充填時に発生するインク吸収体への横方向の皺並びに仕切り壁の近傍であって縦方向に発生した隙間皺が目で判別しがたい状態であっても、前記外気案内路を設けたことで前記発生した横方向の皺に影響されることがなく、また、外気取入れ部を設けたことで、前記仕切り壁近傍に発生する隙間皺に影響されることなく、前記外気取入れ部にスムーズに外気を導くことができる構成となっている。
【００４９】
また、前記吸収体収納室６は、前記外気案内部９の下端部より下部側であって前記吸収体収納室６のインク吸収体１３の中間域より下部側に前記外気取入れ部１０が形成されている。この前記外気取入れ部１０は後述する前記インク室５に形成されている気液交換部１２と外気導入路１１を介して連通している構成となっている。また前記外気取入れ部１０は、前記吸収体収納室６の側壁に好ましく複数形成することができる。また、前記外気取入れ部１０を複数形成する場合は、例えば前記吸収体収納室６の両側壁に均等に形成することが好ましい。この前記外気取入れ部１０の形成は、前記外気案内部９の下端部の位置を勘案して適宜設計することができる。
【００５０】
また、前記吸収体収納室６に収納されるインク吸収体１３は前記吸収体収納室６の上部に一部の空間部４を形成して充填することができる。そして前記インク吸収体１３は前記空間部４を除いて前記吸収体収納室６の壁面に密接して充填されている。この前記インク吸収体１３によってインクカートリッジ１内の負圧が形成されている。また、前記インク吸収体１３は１部材で構成してもよく複数部材で構成することもできる。前記インク吸収体を複数で構成する場合は、例えば、インク室４内のインクの流路抵抗がインク吐出部３に向かって大きくなるように負圧を形成する場合において、負圧力の異なる複数のインク吸収体１３を組み合わせて構成することができる。このような構成にすることにより、インク吐出部３に向かってインクの流路抵抗を多段に設計することができ、外気開放部２からの空気の導入と気液交換がスムーズに行われるとともに、インク吐出部３からのインク漏れやインク供給過多を防止する効果に寄与することができる。
【００５１】
また、前記インク室５の側壁底部には前記インク室５のインクと前記外気開放部２から導入される外気が前記外気取入れ部１０を介して前記インク室内５に気液交換される前記気液交換部１２が形成されている。上述した、前記外気取入れ部１０、前記外気導入路１１及び前記気液交換部１２各々は、図１０及び図１１に図示するように、インク室４の外部側壁に形成して表面をフイルム３９で密封封止して形成することができる。そして、前記外気取入れ部１０はインク吸収体１３に当接して前記吸収体収納室６内に連通した構成となっている。
【００５２】
また、前記気液交換部１２は前記インク室５内に連通した構成になっている。そして前記外気取入れ部１０と前記気液交換部１２とは、前記外気導入路１１を介して連通する構成となっている。また、インクの消費とともに前記外気開放部２から導入される空気は、図１０に図示する矢印のように、前記インク吸収体１３を経由して前記外気取入れ部１０に流出しさらに前記外気導入路１１を経由し前記気液交換部１２から前記インク室５に導入されて気液交換が行われる。
【００５３】
次に、上述したような本実施形態例のインクカートリッジ１のインク及び外気の流路順について以下に説明する。インクカートリッジ１を記録装置に装着して印刷を開始すると、記録装置のヘッド１４からインクカートリッジ１のインク吸引が開始される。そうすると、まずインクカートリッジ１の装着初期においては、吸収体収納室６に充填されているインク吸収体１３に吸収保持されているインクがインク吐出部３を経由してヘッド１４に導かれる。そのときの外気の流路は、インクの流出に伴い吸収体収納室内の負圧バランスを保持するために外気開放部２から外気が吸収体収納室６内に流入される。
【００５４】
引き続いて印刷が行われると吸収体収納室６内に保持されているインクのインクレベルが下がって外気取入れ部１０に達すると、前記ヘッド１４へのインクの流路は、インク室５内のインクが連通部７から吸収体収納室６内のインク吸収体１３に移動しながらインク吐出部３を経由してヘッド１４に導かれる。このときの外気の流路はインク室５内のインクの消費に伴い外気開放部２から導入される外気は、外気案内部９及び吸収体収納室６内のインク吸収体１３を経由して外気取入れ部１０から外気導入路１１並びに気液交換部１２を経由して気液交換が行われる。このようにして、本発明のインクカートリッジは、インクの流出に伴い吸収体収納室６内及びインク室５内の負圧バランスを保持するための気液交換がスムーズに行われ、インク吐出部３からのインク漏れを起こすことなくまた、インク供給過多を起こすことなく良好な印刷を行うことができるという優れた効果を奏することができる。
【００５５】
上述したように構成された本実施態様の本発明のインクカートリッジ１は、インクカートリッジの外気開放部２から導入される外気が前記外気案内部９を介して前記外気取入れ部１０にスムーズに外気が導入され前記吸収体収納室６と前記インク室との負圧バランスが良好になり、気液交換がスムーズに行うことができるという効果を奏する。したがってインク吐出部３からのインク漏れやインク供給過多が起こることなくヒートサイクルの安定したインクの混色が生じない構成のインクカートリッジを提供することができるという効果を奏する。さらに上記に付随して、インク漏れを起こさない、インクの混色を起こさない良好な印刷ができるインクカートリッジを提供することができるという効果を奏する。
【００５６】
（本発明の第１の他の実施の形態例）
図１Ｂに本発明の第１の他の実施の形態例を示す。図１Ｂは、前記図１Ａに示した本発明の第１の実施の形態例の変形例であって、前外気記案内部９が吸収体収納室の両側壁に各２個形成されたものであるが、前記気記案内部９の長さが異なり、一方がより外気取入れ部１０に近接して形成された例である。このような実施態様も本発明に含まれる。このように、本発明の構成である前外気記案内部９の形成は種々の形態を採用することができる。
【００５７】
（本発明の第２の実施の形態例）
次に、本発明の第２の実施の形態例を図２に基づいて説明する。図２は本発明の第２の実施の形態を示す模式図である。
【００５８】
本発明の第２の実施の形態例は本発明の第２の構成を例示するものであって、外気開放部２とインク吐出部３とを備えインクを吸収するインク吸収体１３が収納された吸収体収納室６と、インクを自由状態で実質密閉収容するインク室５と、前記インク室５と前記吸収体収納室６とを下方側で連通させる連通部７を備えると共に前記インク室５と前記吸収体収納室６とを仕切る仕切り壁８と、を備えたインクカートリッジ１であって、
前記吸収体収納室６に対して、前記連通部７よりも上部にある前記インク吸収体１３に対向して位置し前記インク室５内に外気を導入するための外気導入路１１の外気取入れ部１０と、前記インク吸収体１３を圧縮すると共に前記連通部７と前記インク吐出部３とを結ぶ直線上に位置する迂回障害部１５とを具備し、前記外気取入れ部１０は、前記仕切り壁８から前記吸収体１３が挿入時に形成されるシワが発生する領域を離れた位置であり、前記外気導入路１１が前記吸収体収納室６の側壁の外側に設けられた構成としている。
【００５９】
さらに詳しくは、本発明の第２の実施の形態例である本発明のインクカートリッジ１は、前述した本発明の第１の実施の形態例の他の態様であって、前記本発明の第１の実施態様例で説明したように、前記吸収体収納室6の外面側壁に前記外気取入れ部１０が形成された構成である。この前記外気取入れ部１０は前記したように前記仕切り壁８から少なくとも５ｍｍ以上離なれた位置に形成することが好ましい。そしてさらに、前記インク吸収体１３を圧縮すると共に前記連通部７と前記インク吐出部３とを結ぶ直線上に位置する迂回障害部１５とが形成された構成とし、前記外気取入れ１０は、前記仕切り壁８から前記吸収体１３が挿入時に形成されるシワが発生する領域を離れた位置であり、前記外気導入路１１が前記吸収体収納室６の側壁の外側に設けられている。即ち、本実施の態様例は前記外気取入れ部１０と、前記インク吸収体１３を圧縮すると共に前記連通部７と前記インク吐出部３とを結ぶ直線上に位置する迂回障害部１５が形成されているところが特に特徴を有する。
【００６０】
上述したように、前記吸収体収納室６に対して、前記連通部７よりも上部にある前記インク吸収体１３に対向して位置し前記インク室５内に外気を導入するための外気導入路１１の外気取入れ部１０と、前記インク吸収体１３を圧縮すると共に前記連通部７と前記インク吐出部３とを結ぶ直線上に位置する前記迂回障害部１５とを具備する構成として、前記インク室５のインクが前記インク吐出部３に向かって直線的に流入しないような構成としている。そのため、ヒートサイクルが起こった場合の前記インク室５のインクは、前記インク吸収体１３の上部に迂回されて圧力開放されることになる。したがって、ヒートサイクルが起こっても前記インク吐出部３に向かって直線的に流入されることがないので、インク吐出部３からのインク漏れを起こすことが無いという効果を奏することができる。
【００６１】
また、前記外気取入れ部１０は、前記仕切り壁８から少なくとも５ｍｍ離れた位置に形成されているので、前記したように仮に壁際の皺や隙間が発生したとしても、発生した皺や隙間の影響を受けることなく、インクカートリッジ１の外気開放部２から導入される外気が前記外気案内部９を介して前記外気取入れ部１０にスムーズに空気が導入され前記吸収体収納室６と前記インク室５との負圧バランスが良好になり、気液交換がスムーズに行うことができる。
【００６２】
本実施形態例では、前記迂回障害部１５は前記吸収体収納室６内の底部であって前記連通部７と前記インク吐出部３の間に形成し、前記インク室５のインクが前記インク吐出部３に直接流入しないように、即ち、矢印のように、インク供給路を前記吸収体収納室６内の上部に迂回させるように配置されている。この前記迂回障害部１５を備えることにより、前記吸収体収納室６内に充填される前記インク吸収体が前記迂回障害部１５の周囲に圧接して密接されるため前記迂回障害部１５の周囲は負圧力がその周辺の前記インク吸収体１３より高められた構成になっている。このような構成とすることにより、前記インク室５内のインク供給路が前記インク吐出部３に直接流入することがなく前記体収納室６内の上部に迂回して前記インク吸収体１３の毛管力に保持されて前記吸収体収納室６と前記インク室５との負圧バランスが良好に維持されつつ気液交換がスムーズに行われる。
【００６３】
次に、上述したような本発明の第２の実施形態例のインクカートリッジ１のインク及び外気の流路順について以下に説明する。インクカートリッジ１を記録装置に装着して印刷を開始すると、記録装置のヘッド１４からインクカートリッジ１のインク吸引が開始される。そうすると、まずインクカートリッジ１の装着初期においては、前記吸収体収納室６に充填されている前記インク吸収体１３に吸収保持されているインクが前記インク吐出部３を経由して前記ヘッド１４に導かれる。そのときの外気の流路は、インクの流出に伴い前記吸収体収納室６内の負圧バランスを保持するために前記外気開放部２から外気が前記吸収体収納室６内に流入される。
【００６４】
引き続いて印刷が行われると前記吸収体収納室６内に保持されているインクのインクレベルが下がって前記外気取入れ部１０に達すると、前記ヘッド１４へのインクの流路は、第２図に図示する矢印のように、前記インク室５内のインクが前記連通部７から前記吸収体収納室６内の前記インク吸収体１３の上部に迂回するように移動しながら前記インク吐出部３を経由して前記ヘッド１４に導かれる。このときの外気の流路は前記インク室５内のインクの消費に伴い前記外気開放部２から導入される外気は、吸前記収体収納室６内の前記インク吸収体１３を経由して前記外気取入れ部１０から前記外気導入路１１並びに前記気液交換部１２を経由して気液交換が行われる。
【００６５】
本発明の第２に実施形態例のインクカートリッジ１は、上述したような構成としているので、インクカートリッジ１の前記外気開放部２から導入される外気が前記仕切り壁８の影響を受けることなく前記外気取入れ部１０にスムーズに外気が導入され前記吸収体収納室６と前記インク室５との負圧バランスが良好になり気液交換がスムーズに行うことができる。  
【００６６】
本発明は上述したように、ヒートサイクルが起こっても、インク室５からのインクが前記連通部７を通過した後前記迂回障害部１５の上部側に迂回させることができる。即ち、ヒートサイクルが起こり前記インク室５内の体積膨張があってもその圧力は、図２に図示する矢印のように、前記迂回障害部１５上部側に迂回して前記インク吸収体１３を収納した前記吸収体収納室６側に圧力開放されインク吐出部３からのインク漏れが生じないから、さらに、記録装置に複数装着されるインクカートリッジのインク混色問題が生じないという付随効果を奏することができる。
【００６７】
（本発明の第３の実施の形態例）
次に、本発明の第３の実施の形態例を図３に基づいて説明する。図３は本発明の第３の実施の形態を示す模式図である。
【００６８】
本発明の第３の実施の形態例は、本発明の第３の構成を例示するものであって、外気開放部２とインク吐出部３とを備えインクを吸収するインク吸収体１３が収納された吸収体収納室６と、インクを自由状態で実質密閉収容するインク室５と、前記インク室５と前記吸収体収納室６とを下方側で連通させる連通部７を備えると共に前記インク室と前記吸収体収納室６とを仕切る仕切り壁８と、を備えたインクカートリッジ１であって、
前記吸収体収納室６に対して、前記連通部７よりも上部にある前記インク吸収体１３に対向して位置し前記インク室５内に外気を導入するための外気導入路１１の外気取入れ部１０と、前記外気取入れ部１０に対して外気を案内するための外気案内部９と、前記インク吸収体１３を圧縮すると共に前記連通部７と前記インク吐出部３とを結ぶ直線上に位置してインク供給を迂回せしめる障害部１５とを具備し、前記外気取入れ部１０は、前記仕切り壁８から前記吸収体１３が挿入時に形成されるシワが発生する領域を離れた位置であり、前記外気導入路１１が前記吸収体収納室６の側壁の外側に設けられた構成としている。
【００６９】
さらに詳しくは、本発明の第３の実施の形態例である本発明のインクカートリッジ１は、第１の発明の構成と第２の発明の構成を相乗した構成を例示したものである。本発明の第３の実施の形態例は、上述したように、第１の発明及び第２の発明の効果に加えて、より相乗的な効果を奏することができる実施形態例であって、前記吸収体収納室６に対して、前記連通部７よりも上部にある前記インク吸収体１３に対向して位置し前記インク室５内に外気を導入するための外気導入路１１の外気取入れ部１０と、前記外気取入れ部１０に対して外気を案内するための外気案内部９と、前記インク吸収体１３を圧縮すると共に前記連通部７と前記インク吐出部３とを結ぶ直線上に位置してインク供給を迂回せしめる障害部１５とを具備し、前記外気取入れ部１０は、前記仕切り壁８から前記吸収体１３が挿入時に形成されるシワが発生する領域を離れた位置であり、前記外気導入路１１が前記吸収体収納室６の側壁の外側に設けられた構成としているところが、特に特徴を有する。
【００７０】
図３に図示するように、本発明の第３の実施の形態例のインクカートリッジ１は、インクカートリッジ１の上部に前記外気開放部２と底部に前記インク吐出部３とを備え、自由状態でインクを収容する前記インク室５とインクを吸収する前記インク吸収体１３が収納された前記吸収体収納室６とを有し、前記インク室５と前記吸収体収納室６とが前記仕切り壁８で仕切られている実質密閉インク室を含む２室の構造を有している。また前記インク室５と前記吸収体収納室６とを仕切る前記仕切り壁８の底部には、前記インク室５のインクが前記吸収体収納室６に流出するための前記連通部７を有し、前記連通部７は前記仕切り壁８の底部と前記インク室４の底壁との間に設けられている。
【００７１】
前記吸収体収納室６には、前記吸収体収納室６の上部から中間域まで形成される前記外気案内部９と前記中間域より下方に前記外気取入れ部１０が備えられている。前記外気案内部９は前記吸収体収納室６の側壁に好ましく形成することができる。また、前記外気案内部９は一つ形成することもできるが複数形成することが好ましい。この場合、前記外気案内部９は前記吸収体収納室の上部から底部に向けて中間域まで垂直状に形成しても傾斜して形成しても良い。また、前記外気案内部９を複数形成した場合にその長さは、外気取入れ部１０の配置を勘案して適宜設計することができる。また、前記外気案内部９を複数形成する場合は、例えば前記吸収体収納室６の両側壁に均等に形成することが好ましい。この前記外気案内部９の形成は、前記外気開放部２の位置を勘案して適宜設計することができる。
【００７２】
また、前記吸収体収納室６は、前記外気案内部９の下端部より下部側であって前記吸収体収納室６の中間域より下部側に前記外気取入れ部１０が前記中間域より下方に前記仕切り壁８から５ｍｍ以上離なれた位置に形成されている。この前記外気取入れ部１０は後述する前記インク室５に形成されている気液交換部１２と外気導入路１１を介して連通している構成となっている。また前記外気取入れ部１０は、前記吸収体収納室６の側壁に好ましく複数形成することができる。また、前記外気取入れ部１０を複数形成する場合は、例えば前記吸収体収納室６の両側壁に均等に形成することが好ましい。この前記外気取入れ部１０の形成は、前記外気案内部９の下端部の位置を勘案して適宜設計することができる。
【００７３】
上記のとおり、前記吸収体収納室６に備える前記外気取入れ部１０が仕切り壁８から５ｍｍ以上離なれた位置に形成された構成としているので、インクカートリッジ１の外気開放部２から導入される空気が前記仕切り壁８とこの仕切り壁８と当接している前記吸収体収納室６内に充填されているインク吸収体１３との界面の影響を受けることがなく、前記外気取入れ部１０にスムーズに導入され前記吸収体収納室６と前記インク室５との負圧バランスが良好に維持しされ気液交換がスムーズに行うことができるという効果を奏する。
【００７４】
またさらに、上述の構成に加えて、前記吸収体収納室６には第３図に図示する矢印のように、前記吸収体収納室６に対して、前記連通部７よりも上部にある前記インク吸収体１３に対向して位置し前記インク室５内に外気を導入するための外気導入路１１の外気取入れ部１０と、前記外気取入れ部１０に対して外気を案内するための外気案内部９と、と、前記インク室５内のインクが前記連通部７から前記吸収体収納室６内の前記インク吸収体１３を圧縮すると共に前記連通部７と前記インク吐出部３とを結ぶ直線上に位置してインク供給を迂回せしめる障害部１５備えた構成となっている。
【００７５】
この前記障害部１５は、前記吸収体収納室６の底部であって前記連通部７と前記インク吐出口３の間に形成し、前記インク室５のインクが前記インク吐出口３に直接流入しないように、即ち、第３図の矢印のように、インク供給路を前記吸収体収納室６内の上部に迂回させるように配置されている。この前記障害部１５を備えることにより、前記吸収体収納室６内に充填される前記インク吸収体１３が前記障害部１５の周囲に圧接して密接されるため前記障害部１５の周囲は負圧力がその周辺の前記インク吸収体１３より高められた構成になっている。
【００７６】
このような構成とすることにより、前記インク室５内のインク供給路が前記インク吐出口３に直接流入することがなく前記体収納室６内の上部に迂回して前記インク吸収体１３の毛管力に保持されて前記吸収体収納室６と前記インク室５との負圧バランスが良好に維持されつつ気液交換が行われ、記録装置の前記ヘッド１４へのインク供給過多が生じることなくインク供給することができる。また、ヒートサイクルによる前記インク室５内の体積膨張が起こっても前記インク室５内の膨張圧力は前記インク吐出部３に直接流入することなく前記吸収体収納室６内の前記インク吸収体１３にインクが吸収され、またその圧力は外気開放部２に開放されるので前記インク吐出部３からのインク漏れを起こすことがない。
【００７７】
次に、上述したような本発明の第３の実施形態例のインクカートリッジ１のインク及び空気の流路順について以下に説明する。インクカートリッジ１を記録装置に装着して印刷を開始すると、記録装置の前記ヘッド１４からインクカートリッジ１のインク吸引が開始される。そうすると、まずインクカートリッジ１の装着初期においては、前記吸収体収納室６に充填されている前記インク吸収体１３に吸収保持されているインクが前記インク吐出部３を経由して前記ヘッド１４に導かれる。そのときの外気の流路は、インクの流出に伴い前記吸収体収納室６内の負圧バランスを保持するために前記外気開放部２から外気が前記吸収体収納室６内に流入される。
【００７８】
引き続いて印刷が行われると前記吸収体収納室６内に保持されているインクのインクレベルが下がって前記外気取入れ部１０に達すると、前記ヘッド１４へのインクの流路は、第３図に図示する矢印のように、前記インク室５内のインクが前記連通部７から前記吸収体収納室６内の前記インク吸収体１３の上部に迂回するように移動しながら前記インク吐出部３を経由して前記ヘッド１４に導かれる。このときの外気の流路は前記インク室５内のインクの消費に伴い前記外気開放部２から導入される外気は、前記外気案内部９及び前記吸収体収納室６内の前記インク吸収体１３を経由して前記外気取入れ部１０から前記外気導入路１１並びに前記気液交換部１２を経由して気液交換が行われる。
【００７９】
本発明の第３に実施形態例のインクカートリッジ１は、上述したような構成としているので、第１の発明の構成と第２の発明の構成を相乗した構成としているので、上述した第１の発明及び第２の発明の効果に加えて、より相乗的な効果を奏することができる。
【００８０】
即ち、インクカートリッジ１の前記外気開放部２から導入される外気が前記前記外気案内部９を介して前記外気取入れ部１０にスムーズに外気が導入され前記吸収体収納室６と前記インク室５との負圧バランスが良好になり、気液交換がよりスムーズに行うことができるという効果を奏する。したがって前記インク吐出部３からのインク漏れやインク供給過多が起こることなくヒートサイクルの安定したインクの混色が生じない構成のインクカートリッジを提供することができるという効果を奏する。さらに上記に付随して、インク漏れを起こさない、インクの混色を起こさない良好な印刷ができるインクカートリッジを提供することができるという効果を奏する。
【００８１】
さらに、前記外気取入れ部１０が前記吸収体収納室６の中間域より下方に前記仕切り壁８から５ｍｍ以上離なれた位置に形成されているので、インクカートリッジ１の前記外気開放部２から導入される外気が前記仕切り壁８に形成される皺や隙間の影響を受けることなく前記外気取入れ部１０にスムーズに外気が導入され前記吸収体収納室６と前記インク室５との負圧バランスが良好になり気液交換がスムーズに行うことができるという効果を奏する。
【００８２】
またさらに、インク供給路を上部に迂回させる前記障害部１５が前記吸収体収納室に備えられているので、上記の効果に付随して前記インク室５からのインクが前記連通部７を通過した後、前記障害部１５の上部側の前記インク吸収体１３に迂回させることができる。そのため印刷環境下の温度変化によって受けるヒートサイクル、即ち前記インク容器内の体積膨張があってもその膨張圧力は、前記障害部１５上部側に迂回して前記インク吸収体１３を収納した前記吸収体収納室側６に流出されるので前記インク吐出部３からのインク漏れが生じない。さらにインクの供給路を上述のように迂回しているのでインク供給過多になることもない。
【００８３】
したがって、負圧バランスが良好であって気液交換がスムーズに行うことができ、インクの混色を起こさない良好な印刷ができるインクカートリッジを提供することができるという効果を奏する。またさらに上記の効果に付随して、輸送中の衝撃や急激な温度変化があってもインク漏れを起こさない良好な印刷ができるインクカートリッジを提供することができるという効果を奏する。
【００８４】
上述したように、本発明のインクカートリッジの構成にすることによって上述の効果が得られるという優れた発明である。また、本発明の構成による吸収体収納室６内のインク吸収体１３の充填において、横方向に多少の皺が発生した場合においても、インク吐出部３からのインク漏れやインク供給過多は見られず、インク混色の発生は生じなかった。また、インク吸収体１３の充填において皺の発生がないものは、完全にインク漏れは生じなかった。したがってインク混色も全く生じなかった。
【００８５】
上述したように、本発明は、従来のインクカートリッジでは考えられないほどの画期的な効果を奏するものであって、通常では予期できないほどの効果を奏する優れた発明である。
【００８６】
（本発明の完成に至る新たなインク流れの挙動現象）
次に本発明の完成に至る新たなインク流の挙動現象、即ち、インクカートリッジの吸収体収納室の負圧力と実質密閉インク室との気液交換がスムーズでなかったり、吸収体収納室の負圧バランスが起因してインク漏れやインク過多が発生する傾向が見られ、そして発生したインク漏れやインク過多によるそのインクが記録装置の記録ヘッドを介して隣のインクカートリッジの吐出口へ流出移動し、その隣のインクカートリッジのインク室へインクが逆吸引してインクの混色を起こすという現象、即ち、インク吐出口と記録ヘッドとの新たなインク流れの挙動現象について図４から図７を参照して下記に詳細に説明する。
【００８７】
図４はインクカートリッジを記録装置に装着した状態でのインク漏れを起こしてインクの混色を起こす現象を模式的に示したものである。即ち、インクカートリッジ２１の製作中に生じたインク吸収体３２の皺３４や、インクカートリッジ２１を記録装置に装着して印刷を行っている印刷中に発生したインク吐出口２３に向かって形成される前記インク吸収体３２の前記皺３４が、大気開放部２２からの空気の案内路を形成し、そのことが原因で前記空気の案内路を介して空気が流出しやすくなり、即ちインク吸収体収納室２６内の負圧が働かなくなり（負圧力が失われる）前記インク吐出口２３からのインク漏れを起こす。このインク漏れの現象は前記インクカートリッジ２１内のインク残量が多い場合に顕著である傾向が見られた。そしてさらに、漏れたインクが記録装置のヘッド部３３に滞留し、そのインクが隣のインクカートリッジの吐出口へ流出移動して、その隣の前記インクカートリッジのインク室へ逆吸引してインクの混色を起こすという現象が見られた。
【００８８】
図５は、インクカートリッジ２１を記録装置に装着した状態でのインク供給過多を起こしてインクの混色を起こす現象を模式的に示したものである。即ち、インクカートリッジ２１の製作中に生じたインク吸収体収納室２６内に充填されたインク吸収体３２と仕切り壁２８との間に発生した壁際隙間３５（製作時の目視では発見が容易ではない）や、前記インクカートリッジ２１を記録装置に装着して印刷を行っている印刷中に発生した前記インク吸収体３２と前記仕切り壁２８との間に発生した前記壁際隙間３５が、大気開放部２２からの早期空気導入を促し、前記インク吸収体収納室２６と実質密閉インク室２５との気液交換がスムーズに行われなくなりインク供給過多が起こる傾向が見られた。このインク供給過多は前記インクカートリッジ２１内のインク残量が多い場合に顕著であるという現象が見られた。
そして、漏れたインクが前記と同様に記録装置のヘッド部３３に滞留して、そのインクが隣のインクカートリッジの吐出口へ流出移動し、その隣の前記インクカートリッジのインク室へ逆吸引してインクの混色を起こすという現象が見られた。
【００８９】
図６は、インクカートリッジを記録装置に装着した状態でのヒートサイクルが起因してインク漏れが起こしてインクの混色を起こす現象を模式的に示したものである。即ち、インクカートリッジ２１を記録装置に装着し、印刷を行った後前記インクカートリッジ２１を記録装置に装着した状態で次の印刷の機会まで放置した場合に、室内温度（記録装置内温度）が変化して室内温度が上昇すると、自由状態でインクを収容するインク室２５（実質密閉インク室）内の特に空気の体積膨張が起こる。このとき、インク吸収体３２が収納されたインク吸収体収納室２６内の負圧力が少ないと、この体積膨張を前記インク吸収体３２を介在して大気開放部２２側に逃がすことができなく、インク吐出口２３側に体積膨張が移行し矢印のようにインク漏れが生じる傾向が見られた。そして、過剰インクが記録装置のヘッド部３３に滞留して、そのインクが隣のインクカートリッジのインク吐出口へ流出移動し、その隣の前記インクカートリッジのインク室２５へ逆吸引してインクの混色を起こすという現象が見られた。この場合もインクカートリッジ内のインク残量が多い場合に顕著であるという現象が見られた。  
【００９０】
図７は、上述したように、インク吐出口２３からのインク漏れや、インク供給過多、あるいはヒートサイクルによるインク漏れが記録装置のヘッド部３３に過剰インクとして滞留し、そのインクが隣のインクカートリッジ２１のインク吐出口へ流出移動してその隣のインクカートリッジのインク室へ逆吸引してインクの混色を起こすという現象を模式的に示したものである。図７に示した混色現象の模式図はヒートサイクル後のインク室２５内の空気収縮がもたらすインク混色現象を図示したものである。上述したように、インク混色は、ヘッド部３３に過剰に滞留したインクが隣のインク吐出口２３に流出し、インク吸収体収納室２６及び前記インク吐出口２３が保持する負圧力により前記インク吸収体収納室２６内へ逆吸引されて起こる現象であるが、図７に図示するように、ヒートサイクル後の前記インク室２５内の空気が収縮した場合には、前記インク吸収体収容室２６内へのインクの逆吸引が顕著に促進され前記インク室２５内までインクが逆吸引されるのでインク混色の程度が著しくなるという現象が見られた。
【００９１】
図８及び図９は、インク室２４とインク室２５との間に仕切り壁２８を有しその仕切り壁２８の下部に仕切り壁溝部３６を有する上記とは気液交換の構成が異なる他のインクカートリッジ２１を記録装置に装着した状態でのインク供給過多やインク漏れを起こしてインクの混色を起こす現象を模式的に示したものである。即ち、前記インクカートリッジ２１の製作中に生じたインク吸収体収納室２６内に充填されたインク吸収体３２の負圧力が少ない前記インクカートリッジに見られるインクの混色を起こす現象を模式的に示したものである。
【００９２】
通常このケースのインクカートリッジ２１においてインク吸収体収納室２６の負圧が十分備えられており、また負圧バランスが保持されている場合は、インクカートリッジ２１を記録装置に装着して印刷を開始すると、記録装置のヘッド３３部からインクカートリッジ２１のインク吸引が開始される。そうすると、まずインクカートリッジ２１の装着初期においては、前記インク吸収体収納室２６に充填されている前記インク吸収体３２に吸収保持されているインクが前記インク吐出口２３を経由して前記ヘッド部３３に導かれる。そのときの空気の流路は、インクの流出に伴い前記吸収体収納室６内の負圧バランスを保持するために前記外気開放部２から空気が前記吸収体収納室６内に流入される。
【００９３】
引き続いて印刷が行われると前記インク吸収体収納室２６内に保持されているインクのインクレベルが下がって仕切り壁溝部３６に達すると、前記ヘッド部３３へのインクの流路は、前記インク室２５内のインクが前記連通部２７から前記インク吸収体収納室２６内に移動しながら前記インク吐出口２３を経由して前記ヘッド部３３に導かれる。このときの空気の流路は前記インク室２５内のインクの消費に伴い前記大気開放部２２から導入される空気は、前記インク吸収体収納室２６内の前記インク吸収体３２から仕切り壁溝部３６に移動して気液交換が行われる。
【００９４】
しかしながら、図８及び図９に例示したインクカートリッジの場合は、前記インク吸収体収納室２６内に充填された前記インク吸収体３２の負圧力が少ないインクカートリッジであるから、前記インクカートリッジ２１を記録装置に装着して印刷を開始すると、記録装置のヘッド３３部から前記インクカートリッジ２１のインク吸引が開始されても前記インク吸収体収納室２６のインクレベル３８が低下しないで前記インク室２５からのインクが先に連通部２７から前記インク吸収体収納室２６に流出移動しインク供給過多が起こるという現象が見られた。前記インク吸収体３２の負圧力が少ないために、上記した正常な状態の気液交換が行われず、大気開放部２２からの空気は前記仕切り壁溝部３６に達する前に前記インク吸収体収納室２６の底部の前記連通部２７において気液交換が起きるという現象が見られた。この正常でない気液交換が起因してインク供給過多の現象が起こるものと認識された。
【００９５】
上記の現象は、前記インク室２５のインクレベル３８が下がるほど顕著であるという傾向が見られた。そして、漏れたインクが前記と同様に記録装置の前記ヘッド部３３にインク溜まり３７として滞留して、そのインクが隣のインクカートリッジ２１のインク吐出口２３へ流出移動し、その隣の前記インクカートリッジ２１のインク室２５へ逆吸引してインクの混色を起こすという現象が見られ、また、室内温度（記録装置内温度）が変化して室内温度が変動し、前記インク室２５（実質密閉インク室）内の空気の体積膨張と体積収縮が起こるケースにおいて前記インク室２５内へ逆吸引されてインク混色の程度が著しいという傾向が見られた。
【００９６】
上述したように、インク混色は、前記インク吸収体収納室２６内の負圧力が少ない場合の前記インク吐出口２３からのインク漏れや、インク供給過多による場合、あるいは、前記インク吸収体収納室２６内が適宜の負圧力があっても、前記インクカートリッジ２１のヒートサイクルが頻繁に起ったりするとインク混色に繋がるという現象、即ち前記インク吐出口２３と記録装置の前記ヘッド部３３との間の新たなインク流の挙動現象から生まれたものである。
【００９７】
本発明は上述したように、外気を外気導入路まで積極的に誘導するという逆転の発想から生まれたものであって、インクカートリッジが外気開放部とインク吐出部を備え自由状態でインクを収容するインク室とインクを吸収するインク吸収体が収納された吸収体収納室とが仕切り壁で仕切られている実質密閉インク室２室の構造を備えたインクカートリッジが抱える問題、即ち、昼夜の温度差によりインク室内（特にインク室内の空気）が熱膨張と収縮が繰り返される現象のヒートサイクルが起こってもインク漏れが起こらない、負圧バランスが良好で気液交換の安定したインクカートリッジの構成とするという第１の課題を解決し、インク漏れがない良好な印刷ができるインクカートリッジを提供するという目的を達成することができるという優れたものである。
【００９８】
また、本発明はさらに、上記第１の課題に付随して、ヒートサイクルが起こっても、記録装置に複数装着されるインクカートリッジの混色問題が解決された負圧バランスの安定したインクカートリッジを提供するという第２の課題を解決し、混色を起こさない良好な印刷ができるインクカートリッジを提供するという目的を達成することができるという優れたものである。
【００９９】
本発明は、上述した、インクカートリッジの吸収体収納室の負圧力と実質密閉インク室との気液交換や吸収体収納室の負圧が起因してインク漏れやインク過多がおこり、そのインクが記録装置の記録ヘッドを介して隣のインクカートリッジの吐出口へ流出移動し、その隣のインクカートリッジのインク室へインクが逆吸引してインクの混色を起こすという、インク吐出口と記録ヘッドとの新たな現象の知見も本発明に含まれる。
【０１００】
また、本発明は、上述したような実施の形態例に限定されることなく、上述した実施の形態例を適宜組み合わせるなど、本発明の構成を逸脱しない範囲で設計される事項は本発明に含まれる。
【０１０１】
上記インク室及び、または上記吸収体収納室は、交換式であっても良く、実質的に両者が備えられる前の構成や備えられた構成に対して、本発明は実施可能であるから、本願発明の概念に含まれるものである。
【産業上の利用可能性】
【０１０２】
本発明のインクカートリッジは、液体インクを消費する印刷装置に使用されるものであれば、インクの種類に関係なく種々のインクカートリッジに適用することができる。
【符号の説明】
【０１０３】
１  インクカートリッジ
２  外気開放部
３  インク吐出部
４  空間部
５  インク室
６  吸収体収納室
７  連通部
８  仕切り壁
９  外気案内部
１０  外気取入れ部
１１  外気導入路
１２  気液交換部
１３  インク吸収体
１４  ヘッド
１５  迂回障害部（障害部）  
２１  インクカートリッジ
２２  大気開放部
２３  インク吐出口
２４  空間部
２５  インク室
２６  インク吸収体収納室
２７  連通部
２８  仕切り壁
２９  大気導入端
３０  大気導入路
３１  大気導出端
３２  インク吸収体
３３  ヘッド部
３４  皺
３５  壁際隙間  
３６  仕切り壁溝部
３７  インク溜まり
３８  インクレベル
【図１Ａ】
0005706119.tif 000002
【図１Ｂ】
0005706119.tif 000003
【図２】
0005706119.tif 000004
【図３】
0005706119.tif 000005
【図４】
0005706119.tif 000006
【図５】
0005706119.tif 000007
【図６】
0005706119.tif 000008
【図７】
0005706119.tif 000009
【図８】
0005706119.tif 000010
【図９】
0005706119.tif 000011
【図１０】
0005706119.tif 000012
【図１１】
0005706119.tif 000013